(57)【特許請求の範囲】
【請求項１】
被洗浄物を収納する食器かごと、前記食器かごを内装する洗浄槽と、洗浄水を噴射する噴射口を有する洗浄ノズルと、電動機により駆動されるインペラにて洗浄水を加圧する洗浄ポンプと、前記電動機の駆動を制御する制御装置を備え、前記インペラは、回転中心に対して内側部に所定の回転方向に対して出口角度を略９０度以下に設定した後向きの内側羽根と、回転中心に対して外側部に出口角度を略９０度以上に設定した羽根高さの異なる大外側羽根と小外側羽根とを有し、前記大外側羽根は前記内側羽根と接続しているとともに、前記小外側羽根は、前記大外側羽根の高さより低くし、かつ、前記大外側羽根間に前記小外側羽根を設け、前記大外側羽根同士が隣り合わないようにした食器洗浄機。
【請求項２】
制御装置は、洗浄工程の各工程間または洗浄工程の各工程内で電動機の回転方向を正逆反転させ、インペラの回転方向を切り換えられるようにした請求項１記載の食器洗浄機。
【請求項３】
洗浄水を機外に排出する排水ポンプを備え、制御装置は、排水工程で前記排水ポンプの運転に並行して、洗浄ポンプのインペラを洗浄時の回転方向と逆方向に回転させるようにした請求項１または２記載の食器洗浄機。
【発明の詳細な説明】
【０００１】
【発明の属する技術分野】
本発明は、洗浄水を加圧する洗浄ポンプを備えた食器洗浄機に関するものである。
【０００２】
【従来の技術】
従来の食器洗浄機について、図１０および図１１に基づいて説明する。食器の洗浄を行う場合には、被洗浄物である食器を洗浄槽３１の食器かご３２に収納し、洗剤を投入して運転を開始する。運転が開始されると、まず洗浄ポンプ３３が洗浄水を加圧する動作が安定するように、所定量の洗浄水を洗浄槽３１に供給する給水工程が実行される。洗浄ポンプ３３はインペラ３４と、これを駆動する電動機３５を有している。
【０００３】
給水工程に続いて、洗浄ポンプ３３によって加圧され、且つヒータ３６によって加熱された洗浄水が洗剤と共に洗浄ノズル３７の噴射口から噴射される本洗工程が行われる。洗浄水は洗浄ノズル３７の噴射口から鉛直方向または斜め上方向に噴射される。また洗浄ノズル３７はこの噴射反力によって略水平に回転する。このように回転する洗浄ノズル３７から噴射された洗浄水の衝突力・洗剤・熱等の作用によって、食器は洗浄されるものである。
【０００４】
洗浄水が所定の温度に高まるとともに、所定時間の本洗工程を経過すると、次に食器等から洗い落とされた汚れを含む洗浄水を排水ポンプ３８によって機外に排出する排水工程に入る。引き続いて、新たに洗浄水を供給する給水工程と、洗剤や残菜（食器に付着した汚れも残菜という）で汚れた食器をすすぐために洗浄水を洗浄ノズル３７から噴射するすすぎ工程と、前記排水工程とが連続して４回繰り返されて、洗浄工程を終了する。
【０００５】
また、次工程の乾燥工程を短時間で行うために、最終のすすぎ工程は、ヒータ３６によって洗浄水を加熱しながら行う加熱すすぎ工程となっている。なお、３９は、洗浄ポンプ３３、ヒータ３６、排水ポンプ３８等を制御する制御装置である。
【０００６】
【発明が解決しようとする課題】
上述の従来構成の食器洗浄機は、洗浄工程の洗浄ポンプの動作に関して、以下のような課題を有している。
【０００７】
洗浄工程において、洗浄ポンプ３３に空気が吸込まれると、洗浄水を加圧できない。従来の一般的な遠心型ポンプでは、空気量が増大すると、揚水不能になる。揚水可能な空気量としては、１０〜１５％以下とされている。また、このように空気を含んだ状態では、洗浄ポンプ３３の運転状態が不安定で、大きい運転騒音を発生する。
【０００８】
食器洗浄機において洗浄ポンプ３３が、空気を吸込む状態になることは、洗浄ノズル３７からの噴射力およびその回転を正常に行うことができなくなることを意味する。すなわち、食器洗浄機としての、所定の洗浄力が得られなくなる恐れがある。
【０００９】
前記する所定の洗浄力が得られなくなる事を防止するために、洗浄水の給水量としては、洗浄工程で洗浄ポンプ３３に空気が入り込まないだけの、水量と水深を得るために、多量の給水量が所定量として設定される。一方、ヒータ３６の加熱能力は機器の電源容量で制限される。したがって、洗浄工程でこの多量の洗浄水および食器を洗浄力が充分に発揮できる所定の温度まで加熱するためには、長時間の運転と消費電力量が必要であった。
【００１０】
なおまた、洗浄中に残菜はフィルタ４０で分離されながら、洗浄水が洗浄ポンプ３３へと循環する構成であるため、フィルタ４０の目詰まりが進行するに従って、その目詰まりは、洗浄ポンプ３３が洗浄水を吸込むときの抵抗となって、洗浄ポンプ３３は空気を吸い込みやすくなる。
【００１１】
そこで、本発明は、以上のような従来の食器洗浄機が有している課題を解決し、特に、洗浄ポンプの特定なインペラ構成によって、節水が図れて、短時間で所定の洗浄性能が得られる食器洗浄機を提供することを目的とするものである。
【００１２】
【課題を解決するための手段】
前記課題を解決するために本発明の食器洗浄機は、被洗浄物を収納する食器かごと、前記食器かごを内装する洗浄槽と、洗浄水を噴射する噴射口を有する洗浄ノズルと、電動機により駆動されるインペラにて洗浄水を加圧する洗浄ポンプと、前記電動機の駆動を制御する制御装置を備え、前記インペラは、回転中心に対して内側部に所定の回転方向に対して出口角度を略９０度以下に設定した後向きの内側羽根と、回転中心に対して外側部に出口角度を略９０度以上に設定した羽根高さの異なる大外側羽根と小外側羽根とを有し、前記大外側羽根は前記内側羽根と接続しているとともに、前記小外側羽根は、前記大外側羽根の高さより低くし、かつ、前記大外側羽根間に前記小外側羽根を設け、前記大外側羽根同士が隣り合わないようにしたものである。
【００１３】
この発明によれば、洗浄工程で洗浄水に空気が入り混じった状態で洗浄ポンプに送込まれたときに、外側羽根から流出する流体の絶対速度が内側羽根から流出する流体の絶対速度よりも大きいために、空気はインペラの外周部へと送り込まれる。このため内側羽根は空気の混合率の小さい洗浄水で充満されて、洗浄水を加圧することができる。そして空気と洗浄水を洗浄ノズルへと送込むことができて、洗浄ノズルにより洗浄水を噴射するとともにその回転を正常に行える。
【００１４】
特に、内側羽根を後向き形状とし外側羽根には前向き形状の部分を形成することにより、洗浄水と洗浄ノズルに対率的に送り込むことができる。
【００１５】
また、インペラの羽根枚数は内側羽根より外側羽根を多くすることにより、空気の排出流量が大きくて、より短時間で空気を洗浄ポンプから排出することができる。
【００１６】
また、空気を含んだ洗浄水をインペラにて加圧して循環することができるので、給水する洗浄水の水量は一般的な遠心型ポンプのときに比べて、少なくすることができる。そのために、洗浄水および食器を加熱する時の熱容量が小さくなって、従来と同程度の加熱能力で、これを短時間で所定の温度になるまで加熱できる。したがって、短時間で所定の洗浄性能および乾燥性能が得られる食器洗浄機を提供できる。
【００１７】
また、外側羽根は大外側羽根と小外側羽根とで構成し、インペラを内装している洗浄ポンプのケーシング内面までの距離において小外側羽根は大外側羽根ならびに内側羽根よりも大きくし、しかも小外側羽根は内側羽根間の空隙の延長上で大外側羽根間の空隙に配設することにより、小外側羽根と洗浄ポンプのケーシング内面との間にはインペラの入り口から出口まで一定以上の大きさを得ることができている。すなわち、洗浄ポンプにフィルタあるいは異物の混入防止手段を通過できるような寸法の固形物が入り込んでも、インペラの羽根形状部に詰まらずに、洗浄ポンプの外部に容易に排出するものであり、洗浄ポンプの加圧能力が長期間で安定するものである。
【００１８】
【発明の実施の形態】
本発明は各実施例に記載した構成を実施形態とすることができる。すなわち、請求項１記載の発明のように、被洗浄物を収納する食器かごと、前記食器かごを内装する洗浄槽と、洗浄水を噴射する噴射口を有する洗浄ノズルと、電動機により駆動されるインペラにて洗浄水を加圧する洗浄ポンプと、前記電動機の駆動を制御する制御装置を備え、前記インペラは、回転中心に対して内側部に所定の回転方向に対して出口角度を略９０度以下に設定した後向きの内側羽根と、回転中心に対して外側部に出口角度を略９０度以上に設定した羽根高さの異なる大外側羽根と小外側羽根とを有し、前記大外側羽根は前記内側羽根と接続しているとともに、前記小外側羽根は、前記大外側羽根の高さより低くし、かつ、前記大外側羽根間に前記小外側羽根を設け、前記大外側羽根同士が隣り合わないようにしたことにより、洗浄工程で洗浄水に空気が入り混じった状態で洗浄ポンプに送込まれたときに、外側羽根から流出する流体の絶対速度が大であるために、空気はインペラの外周部へと速やかに送り込まれる。このため内側羽根は空気の混合率の小さい洗浄水で充満されて、洗浄水を加圧することができる。そして空気と洗浄水を洗浄ノズルへと送込むことができて、洗浄ノズルにより洗浄水を噴射するとともにその回転を正常に行える。
【００１９】
そして、内側羽根は、インペラの所定回転方向に対して後向きに傾斜する形状とし、外側羽根はインペラの最外周部において流体を外周に流出し易いようにインペラの所定回転方向に対して前向き形状の部分を有するように形成することにより、洗浄水は空気をインペラの外周に送り、しかも洗浄水を洗浄ノズルに効率的に送ることができる。従ってインペラの回転を正常に行うのに効果的である。
【００２０】
また、インペラの羽根枚数は、内側羽根の枚数より外側羽根の枚数が多くなることにより、空気の排出流量が大きくて、より短時間で空気を排出することができる。このため給水する洗浄水を、一般的な遠心型ポンプのときに比べて少なく設定した時や、洗浄工程の進行とともにフィルタに残菜が補集されて、洗浄水の通過する開口部が少ない時など、空気が入り込みやすい状態でも、インペラにて洗浄水を加圧して循環することができる。すなわち、洗浄水を少なくして、食器と洗浄水の熱容量がより小さい状態で洗浄運転が可能である。したがって、同一の加熱能力でも、短時間で所定の温度に洗浄水を加熱できて、所定の洗浄性能および乾燥性能が得られる。
【００２１】
また、請求項２記載の発明は、制御装置は、洗浄工程の各工程間または洗浄工程の各工程内で電動機の回転方向を正逆反転させ、インペラの回転方向を切り換えられるようにしたものであり、洗浄工程で電動機を反転して運転して、インペラの外側羽根の形状が回転方向によって前向きと後向きとに切換わる。前向きでは流体の絶対速度が大であり、洗浄ポンプの加圧能力が高い。逆に後向きでは、流体の絶対速度が小さくて、洗浄ポンプの加圧能力は低い。このように洗浄ポンプの加圧能力が大小に切換わる。すなわち洗浄ノズルの噴射圧を強弱に調整できる。これを各工程間で選択できる制御装置を設けたことで、こびりつき汚れが洗浄できる強力な洗浄力と、普通の汚れが洗浄できる標準的な洗浄力の両方を備える。
【００２２】
また、それぞれの工程内で電動機を所定の回転方向と逆回転を交互に切換える制御装置を設けたことで、洗浄水の水量を増やさずに、洗浄ポンプの加圧能力を増大して洗浄ノズルの噴射圧を一時的に高くすることができるので、節水型の高圧洗浄ができる。
【００２３】
また、請求項３記載の発明は、洗浄水を機外に排出する排水ポンプを備え、制御装置は、排水工程で前記排水ポンプの運転に並行して、洗浄ポンプのインペラを洗浄時の回転方向と逆方向に回転させるようにしたものであり、洗浄水を洗浄ノズルから被洗浄物に噴射しながら機外に排水する。
【００２４】
したがって、食器に付着した汚れをすすぎながら、また洗浄水に含まれた比重の軽い汚れを撹拌しながら、洗浄槽の底部から排水ポンプによって洗浄水とともに機外に排出することができる。しかも、排水工程ではインペラは逆回転しているから、その内側羽根が前向き羽根として作用するので、小さい負荷で洗浄水を加圧することができる。
【００２５】
【実施例】
以下、本発明の実施例について、図面を参照しつつ説明する。
【００２６】
（実施例１）
図１および図２において、１は洗浄槽、２は食器、調理道具等の被洗浄物を収納する食器かご、３は洗浄水を加圧する洗浄ポンプ、４は洗浄ポンプ３のインペラ、５はこのインペラ４を駆動する電動機である。６は洗浄水を加熱するヒータ、７は洗浄水を噴射する噴射口を有する洗浄ノズルであり、８は洗浄水を機外に排出する排水ポンプである。９は洗浄ポンプ３やヒータ６等の運転を制御する制御装置である。
【００２７】
ここで特にインペラ４は、図３に示すように、回転中心に対して内側に所定の回転方向に対して出口角度を９０度以下に設定した後向きの内側羽根４ａを有して、外側に出口角度を９０度以上に設定した前向きの外側羽根４ｂを有して、インペラ４の羽根枚数は内側羽根４ａの枚数よりも、外側羽根４ｂの枚数が多くなるように形成している。すなわち、外側羽根４ｂには大外側羽根４ｂの１と小外側羽根４ｂの２とがあり大外側羽根４ｂの１の中間に、小外側羽根４ｂの２を有している。
【００２８】
そして外側羽根４ｂは、図４に示すように、少なくとも高低２水準以上に形成して、高さＨ１なる大外側羽根４ｂの１と高さＨ２なる小外側羽根４ｂの２とで構成している。そして大外側羽根４ｂの１同士が、隣り合わないように、図３に示すような配置にしている。
【００２９】
次に本実施例の食器洗浄機としての動作を説明する。洗浄工程における運転は、基本的に従来のものと同様であるので説明を省略する。本実施例における特徴的な動作は、洗浄工程における洗浄ポンプ３の動作にある。
【００３０】
洗浄工程では、工程の進行とともに、残菜がフィルタに溜まった状態となって、洗浄ポンプ３に洗浄水が供給されにくくなる。そこで洗浄ポンプ３の吸込み力により、洗浄水は空気が入り混じった状態で洗浄ポンプ３に送込まれるようになる。この時に、外側羽根４ｂから流出する流体の絶対速度が大であるために、空気はインペラ４の外周部へと送り込まれる。
【００３１】
したがって、インペラ４の内側羽根４ａは、空気の混合率の小さい洗浄水で充満されて、洗浄水を加圧することができる。そして空気と洗浄水を洗浄ノズル７へと送込むことができて、洗浄ノズル７から噴射するとともにその回転を正常に行う。また、インペラ４の羽根枚数は内側羽根４ａの枚数より外側羽根となる大外側羽根４ｂの１と小外側羽根４ｂの２との合計枚数が多くなるように配置してあるので、空気の排出流量が増大して、より短時間で空気を排出することができる。
【００３２】
このように空気を含んだ状態の洗浄水を、インペラ４にて加圧して循環することができるので、洗浄工程で給水する洗浄水の水量を、一般的な遠心型ポンプのときに比べて、本実施例では少なくすることができる。そのために、洗浄水および食器の熱容量が小さくなって、ヒータ６の加熱能力が同一でも、これを短時間で所定の温度に加熱できる。
【００３３】
また、洗浄工程でフィルターの装着が正確でない時などには、異物の混入を防止する第２のフィルタ（図示せず）を通過するだけの一定以下の大きさの異物が洗浄ポンプ３に入り込むことが発生する。ところが本実施例では、羽根枚数が多くてその空隙が小さい外側羽根４ｂでは、羽根高さをＨ１とＨ２とで異なる大外側羽根４ｂの１と小外側羽根４ｂの２とがあり、さらに大外側羽根４ｂの１同士が隣り合わない配置としたので、外側羽根４ｂ間の空隙は入り口から出口まで常に一定以上の大きさを得ることができている。
【００３４】
このため、洗浄ポンプ３に異物４ｃが入り込んでも、図５に示すような洗浄ポンプ３のケーシングとインペラ４の外側羽根４ｂによる空隙によって、洗浄ポンプ３の外部に排出するものであり、異物４ｃによる詰まりのないものである。たとえば、洗浄ポンプ３の入り口部の内側羽根４ａの羽根間を通過した異物４ｃは、インペラ４の外側部では小外側羽根４ｂの２と洗浄ポンプ３の内面３ａが形成する空隙を通過して、洗浄ポンプ３の外に排出するものである。したがって、さまざまな運転条件下で、洗浄ポンプ３の加圧能力は安定する。
【００３５】
このように洗浄ポンプ３の加圧能力をそのままに維持して、洗浄水の給水量を削減することができる。このことで洗浄工程や加熱すすぎ工程において洗浄水を所定の温度まで上昇させるための加熱時間を同一の加熱能力で短縮することができる。すなわち所定の洗浄性能や乾燥性能が得られるものであることはもちろんであるが、節水と洗浄工程の運転時間の短縮および節電を実現するものである。
【００３６】
なお、汚れの種類や量によっては、洗浄水を入れ換えて行うすすぎ工程の各工程においては、さらに洗浄水を削減しても、洗浄ポンプ３の加圧能力は安定するものであるから、洗浄ノズル７から噴射を正常に行えて、必要なすすぎ効果が得られるものである。もちろん、このことで加熱すすぎの時間短縮や節電ができるものでもある。
【００３７】
なお、乾燥工程は送風機（図示せず）により、洗浄槽１内に機外より空気を送り込み、ヒータ６を断続的に運転して温風とし、この温風で食器に付着した水滴を蒸発させるものであって、洗浄槽１内の多湿な空気は排気口（図示せず）より機外に排出される。そこで、本実施例で制御装置９が、従来と同じ運転時間の加熱すすぎ工程を行うものとすると、食器および付着した水滴の温度が、従来の構成の食器洗浄機より高くできるものである。そのために被洗浄物の乾燥速度が向上して、乾燥性能の向上や乾燥時間の短縮が図れるものである。このようにして、乾燥までを含めて全体の運転時間を短縮できる。
【００３８】
（実施例２）
本実施例は、基本構成が実施例１と同様に、洗浄槽１、食器かご２、洗浄ポンプ１０、インペラ４、電動機５、ヒータ６、洗浄ノズル７、排水ポンプ８を有したものであり、基本構成についての説明は省略する。図６に示すように、洗浄ポンプ１０は電動機５の正逆反転手段１１によって、洗浄ポンプ１０やヒータ６等の運転を制御する制御装置１２によって回転方向も制御される。なお、インペラ４は実施例１と同様の羽根を有するものである。
【００３９】
そして、洗浄工程での運転について説明する。この実施例では特に、洗浄工程で電動機５の回転方向を選択して運転することで、インペラ４の外側羽根が前向きと後向きに切換えることができて、洗浄ポンプ１０の加圧能力を大小に切換えることができる。すなわち、図７に示すように、洗浄ポンプ１０の負荷はＷ１からＷ２に増大するものの、加圧能力が増大して、洗浄ノズル７の噴射圧をＰ１からＰ２に高める作用をする。このことで、汚れの量や質に応じた、適切な洗浄力を選択することができる。
【００４０】
このように、各工程間で洗浄ノズル７の噴射力を選択できる制御装置１２を設けることで、こびりつき汚れが洗浄できる強力な洗浄力と、普通の汚れが洗浄できる標準的な洗浄力を備えた洗浄を単一の食器洗浄機にて得ることができる。
【００４１】
また、洗浄工程のそれぞれの工程内で、制御装置１２が電動機５を所定の回転方向と逆回転を交互に切換えることで、洗浄水の水量を増やさずに、洗浄ポンプ１０の加圧能力を増大して洗浄ノズル７の噴射圧を一時的に高くすることができる。
【００４２】
すなわち、この洗浄ポンプ１０は、インペラ４の羽根の効果により実施例１の洗浄ポンプ３と同様に、空気の混入に対して加圧能力を短時間で回復するものであるから、循環水量は増大するものの、給水する洗浄水量を追加することなく運転できて、図８のように、洗浄ノズル７の噴射圧を高めることができる。
【００４３】
この点に関しては、従来の遠心型インペラで回転数を調整して加圧能力を高めるという手段では、給水する洗浄水の水量を循環水量に連動して増やす必要があり、得ることの困難な効果である。したがって、従来より節水型で高圧洗浄ができて、洗浄力の向上と使用水量の削減を同時に実現することもできるものである。
【００４４】
さらには、洗浄工程で洗浄水が所定温度以下の時には、制御装置１２が洗浄ポンプ１０のインペラ４を主として逆回転方向に駆動することで、洗浄ポンプ１０の加圧能力を低減する運転ができる。このことで、洗浄ノズル７の噴射力を弱めて、洗浄水の洗浄槽１への衝突や滴下による洗浄騒音を低めることができる。そして、被洗浄物と洗浄水を加熱しながら、汚れを膨潤させる。
【００４５】
その後、洗浄水が所定温度以上に達した時には、制御装置１２が洗浄ポンプ１０のインペラ４を主として所定の回転方向に駆動することで、洗浄ポンプ１０の加圧能力を標準状態に戻して、洗浄ノズル７の噴射力を高めて、汚れを洗浄することができる。すなわち、所定の洗浄性能を得るとともに、洗浄工程の運転騒音について、ほとんどの時間で静音化ができる。
【００４６】
（実施例３）
本実施例は、基本構成が実施例２と同様であり、基本構成についての説明は省略する。図６に示すように、洗浄ポンプ１０は正逆反転手段１１をもって、制御装置１２によって制御される。そして、排水工程での運転について説明する。
【００４７】
排水工程で排水ポンプ８を運転すると同時に、図９に示すように、洗浄ポンプ１０を運転する。ここでは正逆反転手段１１により電動機を洗浄工程とは逆方向に回転させる。すなわち、インペラ４を、所定の回転方向とは逆回転に駆動する制御装置１２を設けたものである。
【００４８】
このように、洗浄ポンプ１０を排水工程で運転することで、洗浄ノズル７から洗浄水を被洗浄物に噴射しながら、排水ポンプ８にて排水する。すると、食器に付着した汚れをすすぎながら、また洗浄水に含まれた比重の軽い汚れを撹拌しながら、洗浄槽１の底部から排水ポンプ８によって機外に排出することができる。
【００４９】
なお、この比重の軽い汚れは、従来の排水工程では洗浄水の上面に浮上して、洗浄槽１の底部より排水しても、底面に残存する傾向の強い汚れである。
【００５０】
しかも、排水工程ではインペラ４は逆回転しているから、その内側羽根が前向き羽根として作用するので、小さい負荷で洗浄水を加圧する。したがって、機器の通電量としては、洗浄ポンプ１０を若干追加するだけで、優れたすすぎ効果が得られる。なお、インペラ４は所定の回転方向では負荷が大きいが、洗浄水の噴射も強いものであるから、制御装置１２が回転方向を制御してすすぎ効果を高めることが可能である。
【００５１】
このようにすすぎ効果が高いことで、汚れの量や質によっては、すすぎ工程の回数を削減して、洗浄運転１回当たりの使用水量や運転全体を通しての消費電力量を削減した食器洗浄機とすることができる。
【００５２】
なお、電動機５の回転制御手段としては、位相制御やインバータ制御もよく行われる。もちろん、電動機５がＤＣブラシレスモータであれば、さらに広範囲に回転数を制御できる。
【００５３】
【発明の効果】
この発明は、以上のように構成されているので、以下に記載される効果を有する。
【００５４】
請求項１記載の発明によれば、被洗浄物を収納する食器かごと、前記食器かごを内装する洗浄槽と、洗浄水を噴射する噴射口を有する洗浄ノズルと、電動機により駆動されるインペラにて洗浄水を加圧する洗浄ポンプと、前記電動機の駆動を制御する制御装置を備え、前記インペラは、回転中心に対して内側部に所定の回転方向に対して出口角度を略９０度以下に設定した後向きの内側羽根と、回転中心に対して外側部に出口角度を略９０度以上に設定した羽根高さの異なる大外側羽根と小外側羽根とを有し、前記大外側羽根は前記内側羽根と接続しているとともに、前記小外側羽根は、前記大外側羽根の高さより低くし、かつ、前記大外側羽根間に前記小外側羽根を設け、前記大外側羽根同士が隣り合わないようにしたから、空気を含んだ状態の洗浄水をインペラにて加圧して循環することができるので、洗浄工程で給水する洗浄水を少なくすることができ、短時間で所定の温度に加熱することができるとともに、異物による詰まりがなく、洗浄ポンプの加圧能力を安定して得ることができる。
【００５５】
また、請求項２記載の発明によれば、制御装置は、洗浄工程の各工程間または洗浄工程の各工程内で電動機の回転方向を正逆反転させ、インペラの回転方向を切り換えられるようにしたから、洗浄ノズルから噴射される洗浄水の噴射圧を調整することができる。
【００５６】
また、請求項３記載の発明によれば、洗浄水を機外に排出する排水ポンプを備え、制御装置は、排水工程で前記排水ポンプの運転に並行して、洗浄ポンプのインペラを洗浄時の回転方向と逆方向に回転させるようにしたから、食器に付着した汚れをすすぎながら洗浄水を機外に排出することができ、すすぎ性能を高めることができる。
【図面の簡単な説明】
【図１】  本発明の実施例１における食器洗浄機の要部断面図
【図２】  同実施例のポンプの要部断面図
【図３】  同実施例のポンプにおけるインペラの平面図
【図４】  同実施例のポンプにおけるインペラの断面図
【図５】  同実施例のポンプの他の要部断面図
【図６】  本発明の実施例２における食器洗浄機の要部断面図
【図７】  同実施例における噴射圧を示す第１のタイムチャート
【図８】  同実施例における噴射圧を示す第２のタイムチャート
【図９】  本発明の実施例３における洗浄ポンプの運転を示すタイムチャート
【図１０】  従来例の食器洗浄機の要部断面図
【図１１】  同従来例における洗浄ポンプの要部断面図
【符号の説明】
１  洗浄槽
２  食器かご
３，１０  洗浄ポンプ
３ａ  ケーシングの内面
４  インペラ
４ａ  内側羽根
４ｂ  外側羽根
４ｂの１  大外側羽根
４ｂの２  小外側羽根
４ｃ  異物
５  電動機
６  ヒータ
７  洗浄ノズル
８  排水ポンプ
９，１２  制御装置
１１  正逆反転手段
Ｗ１  洗浄ポンプの入力
Ｐ１  洗浄ノズルの噴射圧
【図１】
0003899642.tif 000002
【図２】
0003899642.tif 000003
【図３】
0003899642.tif 000004
【図４】
0003899642.tif 000005
【図５】
0003899642.tif 000006
【図６】
0003899642.tif 000007
【図７】
0003899642.tif 000008
【図８】
0003899642.tif 000009
【図９】
0003899642.tif 000010
【図１０】
0003899642.tif 000011
【図１１】
0003899642.tif 000012